(57)【特許請求の範囲】
【請求項１】
オーディオインターフェイスの第一の端子は減衰回路である第一の回路を介してオーディオのアップリンク信号発生装置の信号出力端子に接続されており、
オーディオインターフェイスの第二の端子は減衰回路である第二の回路を介して前記オーディオのアップリンク信号発生装置の信号出力端子に接続されており、
前記第一の回路と前記第二の回路とは相互減衰回路であり、
前記第一の端子は前記オーディオインターフェイスのマイク端子とグランド端子との一方であり、
前記第二の端子は前記オーディオインターフェイスのマイク端子とグランド端子との他方である
ことを特徴とするオーディオインターフェイスによるオーディオ信号のアップリンク装置。
【請求項２】
前記第一の回路はフィルター回路または分圧回路を利用し、
前記第二の回路はフィルター回路または分圧回路を利用する、
ことを特徴とする請求項１に記載の装置。
【請求項３】
前記第一の回路と前記第二の回路とは相互対称減衰回路である
ことを特徴とする請求項２に記載の装置。
【請求項４】
前記第一の回路と前記第二の回路とは相互非対称減衰回路である
ことを特徴とする請求項２に記載の装置。
【請求項５】
オーディオインターフェイスの第一の端子を減衰回路である第一の回路を介してオーディオのアップリンク信号発生装置の信号出力端子に接続し、
オーディオインターフェイスの第二の端子を減衰回路である第二の回路を介して前記オーディオのアップリンク信号発生装置の信号出力端子に接続し、
前記第一の回路と前記第二の回路とは相互減衰回路であり、
前記第一の端子は前記オーディオインターフェイスのマイク端子とグランド端子との一方であり、
前記第二の端子は前記オーディオインターフェイスのマイク端子とグランド端子との他方である
ことを特徴とするオーディオインターフェイスによるオーディオ信号のアップリンク方法。
【請求項６】
前記第一の回路はフィルター回路または分圧回路を利用し、
前記第二の回路はフィルター回路または分圧回路を利用する、
ことを特徴とする請求項５に記載の方法。
【請求項７】
前記第一の回路と前記第二の回路は相互対称減衰回路である
ことを特徴とする請求項６に記載の方法。
【請求項８】
前記第一の回路と前記第二の回路は相互非対称減衰回路である
ことを特徴とする請求項６に記載の方法。
【発明の詳細な説明】
【技術分野】
【０００１】
本発明は電子技術分野に関し、特にオーディオインターフェイスによるオーディオ信号のアップリンク装置および方法に関する。
【背景技術】
【０００２】
従来のオーディオインターフェイスは、一般的に、オーディオ出力端子AUDIO、グランド端子GND及びマイク端子MICを備える。オーディオ出力端子AUDIOは、一般的に、左チャンネル端子および/または右チャンネル端子を含み、通常は、4極式オーディオインターフェイスの第三の端子と第四の端子である。オーディオインターフェイスの第一の端子及び第二の端子は、第一の端子はマイク端子MICであり、第二の端子はグランド端子GNDであり、および第一の端子はグランド端子GNDであり、第二の端子はマイク端子MICであるという二つのタイプが存在する。
【０００３】
しかしながら、オーディオインターフェイスがデータを伝送する時、オーディオのダウンリンク信号がオーディオ出力端子AUDIOにより伝送され、左チャンネル端子と右チャンネル端子の中の一つまたは二つを使い、オーディオのアップリンク信号はマイク端子MICにより伝送される。
【０００４】
従来のオーディオインターフェイスの第一の端子と第二の端子は測定されなければ、それらの配列は得られない。したがって、オーディオのアップリンク信号を伝送する時、オーディオインターフェイスの第一の端子と第二の端子の配列を測定しなければならない。マイク端子MICを識別した後、オーディオのアップリンク信号の伝送を行うが、オーディオインターフェイスの配列を測定するには、追加作業が必要であるだけでなく、使用は不便である。
【０００５】
したがって、オーディオインターフェイスの配列が不明である場合でも、オーディオのアップリンク信号の伝送を確保できる装置は必要である。
【発明の概要】
【発明が解決しようとする課題】
【０００６】
本発明は、少なくとも上記の技術課題の一つを解決する、ことを目的とする。
【０００７】
従って、本発明は、オーディオインターフェイスによるオーディオ信号のアップリンク装置を提供することを一つの目的とする。
【０００８】
本発明は、オーディオインターフェイスによるオーディオ信号のアップリンク方法を提供することを別の目的とする。
【課題を解決するための手段】
【０００９】
上記の目的を達成するために、本発明の第一の方面の実施形態は、オーディオインターフェイスによるオーディオ信号のアップリンク装置を提供する。オーディオインターフェイスの第一の端子は第一の回路を介してオーディオのアップリンク信号発生装置に接続されており、オーディオインターフェイスの第二の端子は前記第一の回路と相互減衰回路となる第二の回路を介して前記オーディオのアップリンク信号発生装置に接続されているように構成されている。
【００１０】
また、前記第一の端子は前記オーディオインターフェイスのマイク端子とグランド端子との一方であり、前記第二の端子は前記オーディオインターフェイスのマイク端子とグランド端子との他方である。
また、前記第一の回路はフィルター回路または分圧回路を利用し、前記第二の回路はフィルター回路または分圧回路を利用する。
【００１１】
また、前記第一の回路と前記第二の回路とは相互対称減衰回路である。
【００１２】
また、前記第一の回路と前記第二の回路とは相互非対称減衰回路である。
【００１３】
本発明の第一の方面の実施形態は、オーディオインターフェイスによるオーディオ信号のアップリンク方法を提供する。当該方法は、オーディオインターフェイスの第一の端子を第一の回路を介してオーディオのアップリンク信号発生装置に接続し、オーディオインターフェイスの第二の端子を前記第一の回路と相互減衰回路となる第二の回路を介して前記オーディオのアップリンク信号発生装置に接続する。
【００１４】
また、前記第一の端子は前記オーディオインターフェイスのマイク端子とグランド端子との一方であり、前記第二の端子は前記オーディオインターフェイスのマイク端子とグランド端子との他方である。
【００１５】
また、前記第一の回路はフィルター回路または分圧回路を利用し、前記第二の回路はフィルター回路または分圧回路を利用する。
【００１６】
また、前記第一の回路と前記第二の回路は相互対称減衰回路である。
【００１７】
また、前記第一の回路と前記第二の回路とは相互非対称減衰回路である。
【発明の効果】
【００１８】
本発明の実施形態のオーディオインターフェイスによるオーディオ信号のアップリンク装置および方法によれば、オーディオインターフェイスの第一の端子及び第二の端子はお互いに減衰するようにオーディオアップリンク信号発生装置に接続されることにより、オーディオのアップリンク信号の振幅は小さくなり、オーディオインターフェイスの第一の端子も第二の端子もオーディオのアップリンク信号発生装置から送信されたオーディオのアップリンク信号を受信でき、オーディオインターフェイスの第一の端子と第二の端子との配列が不明である場合でも、オーディオのアップリンク信号を伝送できる。
【００１９】
本発明の付加の方面及び利点が下記の説明において部分的に表れられ、一部分が下記の説明からより明らかとなり、或は本発明の実行より了解できる。
【図面の簡単な説明】
【００２０】
本発明のこれらのおよび他の態様および利点は、添付図面を参照してなされる以下の説明から明らかになり、より容易に認識される。
【００２１】
【図１】本発明のオーディオインターフェイスによるオーディオ信号のアップリンク装置の実施形態1の第一の構造模式図である。
【図２】本発明のオーディオインターフェイスによるオーディオ信号のアップリンク装置の実施形態1の第二の構造模式図である。
【図３】本発明のオーディオインターフェイスによるオーディオ信号のアップリンク装置の実施形態1の第三の構造模式図である。
【図４】本発明のオーディオインターフェイスによるオーディオ信号のアップリンク装置の実施形態1の第四の構造模式図である。
【図５】本発明のオーディオインターフェイスによるオーディオ信号のアップリンク装置の実施形態1の第五の構造模式図である。
【図６】本発明のオーディオインターフェイスによるオーディオ信号のアップリンク装置の実施形態2の第一の構造模式図である。
【図７】本発明のオーディオインターフェイスによるオーディオ信号のアップリンク装置の実施形態2の第二の構造模式図である
【図８】本発明のオーディオインターフェイスによるオーディオ信号のアップリンク装置の実施形態3の第一の構造模式図である。
【図９】本発明のオーディオインターフェイスによるオーディオ信号のアップリンク装置の実施形態3の第二の構造模式図である。
【発明を実施するための形態】
【００２２】
以下、本発明の実施の形態を詳細に説明する。前記実施の形態の実例が図面において示されるが、同一の又は類似する符号が相同又は類似の部品或いは相同又は類似の機能を有する部品を表す。以下、図面を参照しながら説明する実施形態が例示性のものであり、本発明を一般に理解するために用いられる。実施形態は、本発明を制限するように解釈されてはならない。
【００２３】
本発明の説明には、「第１」及び「第２」という用語は単に説明のためのみに用いられ、相対的な重要性若しくは数量若しくは位置に明示的にも暗示的にも関連づけられ使用されるものではない。さらに、「第一端子」、「第二端子」は単に端子を区別するためのものであり、端子の位置を限定するためのものではない。
【００２４】
本発明において、別途、明確に限定した場合を除く、「繋がり」、「接続」などの用語を広義に理解すべきである。例えば、固定な接続でもよいし、取外し可能な接続でもよいし、一体でもよい。また、机械的な接続でもよいし、電気接続でもよい。また、直接の繋がりでもよいし、ものを介する間接の繋がりでもよい。本分野の技術者は、具体的な状況によって本発明における上記用語の意味を理解できる。本発明において、別途、明確に限定した場合を除く、「複数」は、二つ又は二つ以上であることを意味する。
【００２５】
フローチャートにおいて又はここで他の方式で説明されたいずれかの過程あるいは方法については、以下のように理解することができる：特定の論理機能またはプロセスの手順を実現するための、一つ又は複数の実行可能な命令コードのモジュール、セグメント、または一部を含み、且つ、当業者にとって理解すべき点としては、本発明の好適な実施形態の範囲は、他の実施形態を含み、その中に、関係する機能に応じてほぼ同時の方式または逆の順番を含む示した又は説明した順番に従って機能を実行しなくてもいい。
【００２６】
以下、図面を参照しながら本発明の実施形態に係るオーディオインターフェイスによるオーディオ信号のアップリンク装置および方法を説明する。
［実施形態1］
【００２７】
図1は、本発明のオーディオインターフェイスによるオーディオ信号のアップリンク装置の構造をしめす模式図である。図1に示したように、オーディオインターフェイスによるオーディオ信号のアップリンク装置はオーディオインターフェイス、第一の回路及び第二の回路を含む。
【００２８】
オーディオインターフェイスはマイク端子MICを介してオーディオアップリンク信号発生装置から送信されたオーディオアップリンク信号を伝送する。
【００２９】
オーディオインターフェイスのマイク端子MICとグランド端子GNDの配列が不明で、即ちオーディオインターフェイスの第一の端子はマイク端子MICとグランド端子GNDの一方であり、第二の端子はマイク端子MICとグランド端子GNDの他方である。
また、オーディオインターフェイスの第一の端子は第一の回路を介してオーディオのアップリンク信号発生装置に接続し、オーディオインターフェイスの第二の端子は第二の回路を介して前記オーディオアップリンク信号発生装置に接続する。
【００３０】
その中に、第一の回路と第二の回路とはお互いに減衰回路となる。
【００３１】
また、オーディオのアップリンク信号発生装置が正常にアップリンク信号を送信するため、オーディオインターフェイスの第一の端子または第二の端子は、オーディオのアップリンク信号発生装置と回線を形成しなければならない。
【００３２】
具体的には、図2に示したように、オーディオインターフェイスの第一の端子は第一の導通素子を介してオーディオのアップリンク信号発生装置の信号端子またはグランド端子に連続され、第二の端子は第二の導通素子を介してオーディオのアップリンク信号発生装置の信号端子またはグランド端子に連続される。前記第一の導通素子と第二の導通素子は異なる素子である。
【００３３】
オーディオのアップリンク信号発生装置の別の端子が本実施形態のオーディオインターフェイスの信号出力端子の基準レベルとして用いられる。該別の端子は信号端子またはグランド端子を含む。この場合、オーディオのアップリンク信号発生装置がオーディオアップリンク信号を送信するとき、第一の端子または第二の端子が第三の端子を介してオーディオのアップリンク信号発生装置に接続されて回線を形成するので、オーディオのアップリンク信号の伝送が確保される。
【００３４】
具体的には、図3に示したように、オーディオインターフェイスはオーディオのアップリンク信号発生装置に接続され、且オーディオインターフェイスの第三の端子を本実施形態のオーディオインターフェイスの第一の端子および/または第二の端子の基準レベルとする。
【００３５】
オーディオアップリンク信号発生装置の別の端子を本実施形態のオーディオインターフェイスの信号出力端子の基準レベルとする。該別の端子は信号端子またはグランド端子を含む。この場合、オーディオのアップリンク信号発生装置がオーディオのアップリンク信号を送信するとき、第一の端子または第二の端子が第三の端子を介してオーディオのアップリンク信号発生装置に接続されて回線を形成するので、オーディオアップリンク信号の伝送が確保される。
【００３６】
もちろん、上記の2つの方法は、単に本発明の実施形態であり、本発明は、上記の2つの方法に限られなく、オーディオインターフェイスの第一の端子または第二の端子がオーディオのアップリンク信号発生装置と回線を形成すればよい。
【００３７】
減衰回路は図4に示すような分圧回路を利用できる。図4に示したように、オーディオインターフェイスの第一の端子は第一の抵抗R1及び第二の抵抗R2を介してオーディオのアップリンク信号発生装置に接続される。オーディオインターフェイスの第二の端子は第三の抵抗R3及び第二の抵抗R2を介してオーディオのアップリンク信号発生装置に接続される。
【００３８】
第一の端子がマイク端子MICであり、第二の端子がグランド端子GNDである場合、オーディオのアップリンク信号発生装置から送信されたDCのオーディオアップリンク信号は第一の抵抗R1及び第二の抵抗R2に分圧され、該オーディオアップリンク信号発生装置から送信されたオーディオアップリンク信号の振幅は小さくなる。したがって、オーディオのアップリンク信号は確実に第一の端子であるマイク端子MICに送信され、オーディオのアップリンク信号の伝送は達成される。
【００３９】
第一の端子がグランド端子GNDであり、第二の端子がマイク端子MICである場合、オーディオのアップリンク信号発生装置から送信されたDCのオーディオアップリンク信号は第三の抵抗R3及び第二の抵抗R2に分圧され、該オーディオアップリンク信号発生装置から送信されたオーディオアップリンク信号の振幅は小さくなる。したがって、オーディオのアップリンク信号は確実に第二の端子であるマイク端子MICに送信され、オーディオのアップリンク信号の伝送は達成される。
【００４０】
したがって、オーディオインターフェイスの第一の端子と第二の端子との配列にかかわらず、本実施形態の減衰回路によればオーディオ信号のアップリンク伝送を達成できる。
【００４１】
減衰回路は図5に示した分圧回路を使ってもよい。図5に示したように、オーディオインターフェイスの第一の端子は第一のコンデンサC1及び第二のコンデンサC2を介してオーディオアップリンク信号発生装置に接続される。オーディオインターフェイスの第二の端子は第三のコンデンサC3及び第二のコンデンサC2を介してオーディオアップリンク信号発生装置に接続される。
【００４２】
第一の端子がマイク端子MICであり、第二の端子がグランド端子GNDである場合、オーディオのアップリンク信号発生装置から送信されたACのオーディオアップリンク信号は第一のコンデンサC1及び第二のコンデンサC2に分圧され、該オーディオのアップリンク信号発生装置から送信されたオーディオアップリンク信号の振幅は小さくなる。したがって、オーディオのアップリンク信号は確実に第一の端子であるマイク端子MICに送信され、オーディオアップリンク信号の伝送は達成される。
【００４３】
第一の端子がグランド端子GNDであり、第二の端子がマイク端子MICである場合、オーディオのアップリンク信号発生装置から送信されたACのオーディオアップリンク信号は第三のコンデンサC3及び第二のコンデンサC2に分圧され、該オーディオのアップリンク信号発生装置から送信されたオーディオアップリンク信号の振幅は小さくなる。したがって、オーディオのアップリンク信号は確実に第二の端子であるマイク端子MICに送信され、オーディオアップリンク信号の伝送は達成される。
【００４４】
したがって、オーディオインターフェイスの第一の端子と第二の端子との配列にかかわらず、本実施形態の減衰回路によればオーディオ信号のアップリンク伝送を達成できる。
【００４５】
本発明は分圧回路として対称回路を利用できる。即ち第一の抵抗R1と第三の抵抗R3の抵抗は等価であり、第一のコンデンサC1と第三のコンデンサC3のコンデンサは等価であればよい。本発明は分圧回路として非対称回路も利用できる。即ち第一の抵抗R1と第三の抵抗R3の抵抗は異なり、第一のコンデンサC1と第三のコンデンサC3のコンデンサは異なってもよい。
【００４６】
もちろん、本発明に利用される分圧回路は本実施形態に示した抵抗及びコンデンサの回路に限られず、減衰の目的を達成できれば対称回路でも非対称回路でも全て本発明の範囲に含む。
［実施形態2］
【００４７】
本実施形態と実施形態1の相違は、減衰回路としてフィルター回路を利用することである。
【００４８】
減衰回路は図6に示したフィルター回路を利用できる。図6に示したように、オーディオインターフェイスの第一の端子は第一の抵抗R1及び第一のコンデンサC1を介してオーディオのアップリンク信号発生装置に接続される。オーディオインターフェイスの第二の端子は第二の抵抗R2及び第一のコンデンサC1を介してオーディオのアップリンク信号発生装置に接続される。
【００４９】
第一の端子がマイク端子MICであり、第二の端子がグランド端子GNDである場合、オーディオのアップリンク信号発生装置から送信されたオーディオのアップリンク信号はフィルター回路の第一の抵抗R1及び第一のコンデンサC1にフィルタされ、オーディオのアップリンク信号発生装置から送信されたオーディオのアップリンク信号の振幅は小さくなる。したがって、オーディオのアップリンク信号は確実に第一の端子であるマイク端子MICに送信され、オーディオのアップリンク信号の伝送は達成される。
【００５０】
第一の端子がグランド端子GNDであり、第二の端子がマイク端子MICである場合、オーディオのアップリンク信号発生装置から送信されたオーディオのアップリンク信号は第二の抵抗R2及び第一のコンデンサC1にフイルタされ、オーディオのアップリンク信号発生装置から送信されたオーディオのアップリンク信号の振幅は小さくなる。したがって、オーディオのアップリンク信号は確実に第二の端子であるマイク端子MICに送信され、オーディオのアップリンク信号の伝送は達成される。
【００５１】
したがって、オーディオインターフェイスの第一の端子と第二の端子の配列にかかわらず、本実施形態の減衰回路によればオーディオ信号のアップリンク伝送を達成できる。
【００５２】
減衰回路は図7に示したフィルター回路を利用できる。図7に示したように、オーディオインターフェイスの第一の端子は第一のコンデンサC1及び第一の抵抗R1を介してオーディオのアップリンク信号発生装置に接続される。オーディオインターフェイスの第二の端子は第二のコンデンサC2及び第一の抵抗R1を介してオーディオアップリンク信号発生装置に接続される。
【００５３】
第一の端子がマイク端子MICであり、第二の端子がグランド端子GNDである場合、オーディオアップリンク信号発生装置から送信されたオーディオのアップリンク信号はフィルター回路の第一のコンデンサC1及びと第一の抵抗R1にフィルタされ、オーディオのアップリンク信号発生装置から送信されたオーディオのアップリンク信号の振幅は小さくなる。したがって、オーディオのアップリンク信号は確実に第一の端子であるマイク端子MICに送信され、オーディオのアップリンク信号の伝送は達成される。
【００５４】
第一の端子がグランド端子GNDであり、第二の端子がマイク端子MICである場合、オーディオアップリンク信号発生装置から送信されたオーディオのアップリンク信号は第二のコンデンサC2及び第一の抵抗R1フィルタされ、オーディオのアップリンク信号発生装置から送信されたオーディオアップリンク信号の振幅は小さくなる。したがって、オーディオのアップリンク信号は確実に第二の端子であるマイク端子MICに送信され、オーディオのアップリンク信号の伝送は達成される。
【００５５】
したがって、オーディオインターフェイスの第一の端子と第二の端子との配列にかかわらず、本実施形態の減衰回路によればオーディオ信号のアップリンク伝送を達成できる。
【００５６】
本発明はフィルター回路として対称回路を利用できる。即ち第一の抵抗R1と第二の抵抗R2の抵抗は等価であり、第一のコンデンサC1と第二のコンデンサC2のコンデンサは等価であればよい。本発明はフィルター回路として非対称回路も利用できる。即ち第一の抵抗R1と第二の抵抗R2の抵抗は異なり、第一のコンデンサC1と第二のコンデンサC2のコンデンサは異なっても良い。
【００５７】
もちろん、本実施形態も実施形態1のようにオーディオインターフェイスとオーディオのアップリンク信号発生装置とは回線を形成しなければならない。それによって、オーディオアップリンク信号発生装置は正常にアップリンク信号を送信することは確保される。
【００５８】
もちろん、本発明に利用されるフィルター回路は本実施形態に示した抵抗とコンデンサの回路に限られず、減衰の目的を達成できれば対称回路でも非対称回路でも全て本発明の範囲に含む。
［実施形態3］
【００５９】
本実施形態と実施形態1の相違は、減衰回路としてフィルター回路及び分圧回路の組み合わせを利用することである。
【００６０】
減衰回路は図8に示した分圧回路を利用できる。図8をに示したように、オーディオインターフェイスの第一の端子は第一の抵抗R1及び第一のコンデンサC1を介してオーディオのアップリンク信号発生装置に接続される。オーディオインターフェイスの第二の端子は第二のコンデンサC2及び第一のコンデンサC1を介してオーディオのアップリンク信号発生装置に接続される。
【００６１】
第一の端子がマイク端子MICであり、第二の端子がグランド端子GNDである場合、オーディオのアップリンク信号発生装置から送信されたオーディオのアップリンク信号はフィルター回路の第一の抵抗R1及び第一のコンデンサC1にフィルタされ、オーディオのアップリンク信号発生装置から送信されたオーディオのアップリンク信号の振幅は小さくなる。したがって、オーディオのアップリンク信号は確実に第一の端子であるマイク端子MICに送信され、オーディオのアップリンク信号の伝送は達成される。
【００６２】
第一の端子がグランド端子GNDであり、第二の端子がマイク端子MICである場合、オーディオのアップリンク信号発生装置から送信されたオーディオのアップリンク信号は第二のコンデンサC2及び第一のコンデンサC1に分圧され、オーディオのアップリンク信号発生装置から送信されたオーディオのアップリンク信号の振幅は小さくなる。したがって、オーディオのアップリンク信号は確実に第二の端子であるマイク端子MICに送信され、オーディオアップリンク信号の伝送は達成される。
【００６３】
したがって、オーディオインターフェイスの第一の端子と第二の端子との配列いかかわらず、本実施形態の減衰回路によればオーディオ信号のアップリンク伝送を達成できる。
【００６４】
もちろん、本実施形態には、オーディオインターフェイスの第一の端子は第二のコンデンサC2及び第一のコンデンサC1を介してオーディオのアップリンク信号発生装置に接続されてもよい。オーディオインターフェイスの第二の端子は第一の抵抗R1及び第一のコンデンサC1を介してオーディオのアップリンク信号発生装置に接続されてもよい。
【００６５】
減衰回路は図9に示した分圧回路を利用できる。図9に示したように、オーディオインターフェイスの第一の端子は第一のコンデンサC1及び第一の抵抗R1を介してオーディオのアップリンク信号発生装置に接続される。オーディオインターフェイスの第二の端子は第二の抵抗R2及び第一の抵抗R1を介してオーディオのアップリンク信号発生装置に接続される。
【００６６】
第一の端子がマイク端子MICであり、第二の端子がグランド端子GNDである場合、オーディオのアップリンク信号発生装置から送信されたオーディオのアップリンク信号はフィルター回路の第一のコンデンサC1及び第一の抵抗R1にフィルタされ、オーディオのアップリンク信号発生装置から送信されたオーディオのアップリンク信号の振幅は小さくなる。したがって、オーディオのアップリンク信号は確実に第一の端子であるマイク端子MICに送信され、オーディオのアップリンク信号の伝送は達成される。
【００６７】
第一の端子がグランド端子GNDであり、第二の端子がマイク端子MICである場合、オーディオのアップリンク信号発生装置から送信されたオーディオのアップリンク信号は第二の抵抗R2及び第一の抵抗R1に分圧され、オーディオのアップリンク信号発生装置から送信されたオーディオのアップリンク信号の振幅は小さくなる。したがって、オーディオのアップリンク信号は確実に第二の端子であるマイク端子MICに送信され、オーディオのアップリンク信号の伝送は達成される。
【００６８】
したがって、オーディオインターフェイスの第一の端子と第二の端子との配列にかかわらず、本実施形態の減衰回路によればオーディオ信号のアップリンク伝送を達成できる。
【００６９】
もちろん、本実施形態には、オーディオインターフェイスの第一の端子は第二の抵抗R2及び第一の抵抗R1を介してオーディオのアップリンク信号発生装置に接続されてもよい。オーディオインターフェイスの第二の端子は第一のコンデンサC1及び第一の抵抗R1を介してオーディオのアップリンク信号発生装置に接続されてもよい。
【００７０】
本発明はフィルター回路として対称回路を利用できる。即ち第一の抵抗R1と第二のコンデンサC2のリアクタンスは等価であり、第一のコンデンサC1と第二の抵抗R2のリアクタンスは等価であればよい。本発明はフィルター回路として非対称回路も利用できる。即ち第一の抵抗R1と第二のコンデンサC2のリアクタンスは異なり、第一のコンデンサC1と第二の抵抗R2のインピーダンスは異なっても良い。
【００７１】
もちろん、本実施形態も実施形態1のようにオーディオインターフェイスとオーディオのアップリンク信号発生装置とは回線を形成しなければならない。それによって、オーディオアップリンク信号発生装置は正常にアップリンク信号を送信することは確保される。
【００７２】
もちろん、本発明で利用されるフィルター回路及び分圧回路は本実施形態に示した抵抗とコンデンサの回路に限られず、減衰の目的を達成できれば対称回路でも非対称減衰回路でも全て本発明の範囲に含む。
［実施形態4］
【００７３】
本実施形態では、オーディオインターフェイスによるオーディオ信号のアップリンク方法を提供する。当該方法は以下のステップを含む。
【００７４】
オーディオインターフェイスの第一の端子を第一の回路を介してオーディオアップリンク信号発生装置に接続し、
オーディオインターフェイスの第二の端子を第一の回路とお互いに減衰回路となる第二の回路を介してオーディオアップリンク信号発生装置に接続する。
【００７５】
オーディオインターフェイスの第一の端子及び第二の端子はお互いに減衰するようにオーディオのアップリンク信号発生装置に接続されるので、オーディオのアップリンク信号の振幅は小さくなり、オーディオインターフェイスの第一の端子も第二の端子もオーディオのアップリンク信号発生装置から送信されたオーディオのアップリンク信号を受信でき、オーディオインターフェイスの第一の端子と第二の端子の配列が不明である場合でも、オーディオのアップリンク信号を伝送できる目的が達成される。
【００７６】
本明細書の説明において、用語の「一つの実施形態」、「一部の実施形態」、「例示」、「具体的な例示」、又は「一部の例示」等の言葉とは、当該実施形態又は例示と合わせて説明された具体的な特徴、構成、材料又は特性が本発明の少なくとも一つの実施形態又は例示に含まれることを意味する。本明細書において、上記の用語の概略表現は必ずしも同じ実施形態又は例示を指さず、且つ、任意の一つ又は幾つの実施形態や例示において、説明された具体的な特徴、構成、材料又は特性を適当な方法で組み合わせることもできる。
【００７７】
上本発明の実施形態を示して説明したが、当業者にとって理解できるのは、本発明の原理と要旨から逸脱しない範囲で、これらの実施形態に対し様々な変更、修正、置換および変形をすることができる。本発明の技術範囲は、特許請求の範囲及びその均等構成を基準にする。
【図１】
0005844500.tif 000002
【図２】
0005844500.tif 000003
【図３】
0005844500.tif 000004
【図４】
0005844500.tif 000005
【図５】
0005844500.tif 000006
【図６】
0005844500.tif 000007
【図７】
0005844500.tif 000008
【図８】
0005844500.tif 000009
【図９】
0005844500.tif 000010